(57)【要約】      （修正有）【課題】のり面を緑化する工法として腐植とフルボ酸を用いた工法を提供する。【解決手段】木又は草又は野菜屑又は落葉落枝の未分解の有機物を炭の製造過程で産出される極強酸性の有機酸である木酢液又は竹酢液に適量漬け込み，長期間養生することで製造される腐植とフルボ酸を分解，非分解性の植生マット，シートの中に封入又は張り付けることによって植物の光合成の活性を高めて生育を促進し，また植生基盤の長期的な団粒化を促すことによって長期的に植物へ肥料分を供給できることを可能とした。また腐植とフルボ酸の燻製の臭いを嫌うシカ等の忌避効果を期待することを可能とした。【選択図】図１
2018023347.tif 000002
【特許請求の範囲】
【請求項１】
木，又は草，又は野菜屑，又は落葉落枝の未分解の有機物を炭の製造過程で産出される極強酸性の有機酸である木酢液又は竹酢液に適量漬け込み，長期間養生することで製造される腐植とフルボ酸を分解，非分解性の植生マット，シートの中に封入又は張り付けることによって，緑化する為に導入した植物の発芽，生育を促進することを可能とした腐植とフルボ酸を用いた緑化工法。
【請求項２】
腐植とフルボ酸を分解，非分解性の植生マット，シートの中に封入又は張り付けることによって，導入した植物の光合成の活性化を行うことを可能とした請求項１記載の腐植とフルボ酸を用いた緑化工法。
【請求項３】
腐植とフルボ酸を分解，非分解性の植生マット，シートの中に封入又は張り付けることによって，植生マット，シートを張る前に存在していた植物の種子及び周辺から飛散してきた地域に生育している植物が生育し易い植生基盤とすることを可能とした請求項１記載の腐植とフルボ酸を用いた緑化工法。
【請求項４】
腐植とフルボ酸を分解，非分解性の植生マット，シートの中に封入又は張り付けることによって，セイタカアワダチソウ等の外来性の植物の生育を抑制することを可能とした請求項１記載の腐植とフルボ酸を用いた緑化工法。
【請求項５】
腐植とフルボ酸を分解，非分解性の植生マット，シートの中に封入又は張り付けることによって，腐植とフルボ酸の燻製の臭いを嫌うシカ等の忌避効果を期待することを可能とした請求項１記載の腐植とフルボ酸を用いた緑化工法。
【請求項６】
腐植とフルボ酸を分解，非分解性の植生マット，シートの中に封入又は張り付けることによって，シカ等の食害による被害後の植物の回復を早めることを可能とした請求項１記載の腐植とフルボ酸を用いた緑化工法。
【請求項７】
腐植とフルボ酸を分解，非分解性の植生マット，シートの中に封入又は張り付けることによって，導入した植物へ肥料分を長期的に供給することを可能とした請求項１記載の腐植とフルボ酸を用いた緑化工法。
【請求項８】
腐植とフルボ酸を分解，非分解性の植生マット，シートの中に封入又は張り付けることによって，土壌粘土に張り付いている放射性セシウムをフルボ酸のキレート効果でイオン化させて，土壌の下層へと移行させることを可能とした請求項１記載の腐植とフルボ酸を用いた緑化工法。
【請求項９】
腐植とフルボ酸を分解，非分解性の植生マット，シートの中に封入又は張り付ける量については，固体の腐植については封入容量の５〜２０％とし，液体であるフルボ酸においては１００倍以上に希釈して用い，その他の植生基盤資材としては，バーク堆肥，爆砕したチップ，バーミキュライト，ココピート，パーライト，下水コンポスト，化成肥料，種子とする請求項１記載の腐植とフルボ酸を用いた緑化工法。
【請求項１０】
腐植とフルボ酸を封入する分解，非分解性の植生マット，シートは網の目で袋状の形態をとり，分解性の素材としては綿，麻，ヤシ，紙，藁，ポリ乳酸，非分解性の素材としては，ポリエチレン，ポリプロピレンを用いる請求項１記載の腐植とフルボ酸を用いた緑化工法。
【発明の詳細な説明】
【技術分野】
【０００１】
本発明は，木，又は草，又は野菜屑，又は落葉落枝の未分解の有機物を炭の製造過程で産出される極強酸性の有機酸である木酢液又は竹酢液に適量漬け込み，長期間養生することで製造される腐植とフルボ酸を分解，非分解性の植生マット，シートに封入，又は張り付けることによって植物の生育を促進するものである。
【背景技術】
【０００２】
斜面及びのり面を緑化する手法としては，植生マット，シート工が知られており，この植生マット，シート工には，植生基盤材としてココピート，バーミキュライト，パーライト等と肥料及び種子が封入され利用されている。しかし，植生マット，シート工に封入できる資材については，封入し易さと植生基盤の劣化を防ぐ為にバーミキュライト，パーライト等の無機質系の資材が多く使われており，このような無機質系の資材では肥料分を保持する機能が低く，植生の継続的な維持がし難いという問題がある。
【先行技術文献】
【特許文献】
【０００３】
【特許文献１】特開２０１１−２５４８３６号公開公報
【特許文献２】特開平０８−０６６１２０号公開公報
【特許文献３】特開２００６―０２０５５３号公開公報
【０００４】
上記特許文献１の発明の構成は，未分解の有機物を極強酸資材に所定の時間浸漬することで製造した人工腐植土とバーク堆肥を混合した緑化資材を対象となる斜面にモリタルコンクリート吹付機で吹き付けて緑化する工法である。
一方で，本発明においては，未分解の有機物を極強酸資材に所定の時間浸漬することで腐植とフルボ酸が製造されることを解明し，その腐植とフルボ酸をバーク堆肥，爆砕したチップ，バーミキュライト，ココピート，パーライト，下水コンポストの１つ及びこれらを組み合わせた植生基盤に化学肥料と種子を混合し，混合された植生基盤を非分解，分解性のマット，シートに封入，又は張り付けることで植物の光合成の活性等の諸機能をアップさせるのに加えて，植生基盤及びその植生基盤に含有している養分を降雨による侵食，流亡を抑えて植生の継続的な維持を可能としているものである。
【０００５】
特許文献２の構成は，木質系の資材である木炭，腐植土粒，活性炭と微生物を混合したものを植生マットに入れて緑化する内容が明記されている。一方で，本発明においては，未分解の有機物を極強酸資材に所定の時間浸漬することで腐植とフルボ酸が製造されることを解明し，その腐植とフルボ酸をバーク堆肥，爆砕したチップ，バーミキュライト，ココピート，パーライト，下水コンポストの１つ及びこれらを組み合わせた植生基盤に化学肥料と種子を混合し，混合された植生基盤を非分解，分解性のマット，シートに封入，又は張り付けることで植物の光合成の活性等の諸機能をアップさせるのに加えて，植生基盤及びその植生基盤に含有している養分を降雨による侵食，流亡を抑えて植生の継続的な維持を可能としていることから植生基材の品質及び効果が異なっている。
【０００６】
特許文献３の構成は，現場で発生する伐採木，抜根物等の有機質資源をチップ状に粉砕したものと発生土を緑化工事材料とする緑化工法であり，生チップを大量に使用する場合に生じる問題を解決する為に菌根菌，根粒菌，放線菌や光合成細菌によって生チップの分解を早める工法である。一方で，本発明においては，未分解の有機物を極強酸資材に所定の時間浸漬することで腐植とフルボ酸が製造されることを解明し，その腐植とフルボ酸をバーク堆肥，爆砕したチップ，バーミキュライト，ココピート，パーライト，下水コンポストの１つ及びこれらを組み合わせた植生基盤に化学肥料と種子を混合し，混合された植生基盤を非分解，分解性のマット，シートに封入，又は張り付けることで植物の光合成の活性等の諸機能をアップさせるのに加えて，植生基盤及びその植生基盤に含有している養分を降雨による侵食，流亡を抑えて植生の継続的な維持を可能としていることから植生基材の品質及び効果が異なっている。
【０００７】
上記の特許文献１〜３の発明にあっては，本発明のように腐植とフルボ酸を分解，非分解性の植生マット，シートに封入，又は張り付けることによって植物の生育を促進する緑化手法とは，目的及び技術的構成と発明の効果の点において異なっている。
【発明の概要】
【発明が解決しようとする課題】
【０００８】
そこで，本発明では，木，又は草，又は野菜屑，又は落葉落枝の未分解の有機物を炭の製造過程で産出される極強酸性の有機酸である木酢液又は竹酢液に適量漬け込み，長期間養生することで製造される腐植とフルボ酸を分解，非分解性の植生マット，シートの中に封入又は張り付けることによって植物の光合成の活性を高めて生育を促進し，また植生基盤の長期的な団粒化を促すことによって長期的に植物へ肥料分を供給できることを可能としたものである。
【課題を解決するための手段】
【０００９】
本発明の第１は，腐植とフルボ酸を用いた緑化工法において，木，又は草，又は野菜屑，又は落葉落枝の未分解の有機物を炭の製造過程で産出される極強酸性の有機酸である木酢液又は竹酢液に適量漬け込み，長期間養生することで製造される腐植とフルボ酸を分解，非分解性の植生マット，シートの中に封入又は張り付けることによって，緑化する為に導入した植物の発芽，生育を促進することを可能としたものである。
【００１０】
本発明の第２は，第１の発明に係る腐植とフルボ酸を用いた緑化工法において，腐植とフルボ酸を分解，非分解性の植生マット，シートの中に封入又は張り付けることによって，導入した植物の光合成の活性化を行うことを可能としたものである。
【００１１】
本発明の第３は，第１の発明に係る腐植とフルボ酸を用いた緑化工法において，腐植とフルボ酸を分解，非分解性の植生マット，シートの中に封入又は張り付けることによって，植生マット，シートを張る前に存在していた植物の種子及び周辺から飛散してきた地域に生育している植物が生育し易い植生基盤とすることを可能としたものである。
【００１２】
本発明の第４は，第１の発明に係る腐植とフルボ酸を用いた緑化工法において，腐植とフルボ酸を分解，非分解性の植生マット，シートの中に封入又は張り付けることによって，セイタカアワダチソウ等の外来性の植物の生育を抑制することを可能としたものである。
【００１３】
本発明の第５は，第１の発明に係る腐植とフルボ酸を用いた緑化工法において，腐植とフルボ酸を分解，非分解性の植生マット，シートの中に封入又は張り付けることによって，腐植とフルボ酸の燻製の臭いを嫌うシカ等の忌避効果を期待することを可能としたものである。
【００１４】
本発明の第６は，第１の発明に係る腐植とフルボ酸を用いた緑化工法において，腐植とフルボ酸を分解，非分解性の植生マット，シートの中に封入又は張り付けることによって，シカ等の食害による被害後の植物の回復を早めることを可能としたものである。
【００１５】
本発明の第７は，第１の発明に係る腐植とフルボ酸を用いた緑化工法において，腐植とフルボ酸を分解，非分解性の植生マット，シートの中に封入又は張り付けることによって，導入した植物へ肥料分を長期的に供給することを可能としたものである。
【００１６】
本発明の第８は，第１の発明に係る腐植とフルボ酸を用いた緑化工法において，腐植とフルボ酸を分解，非分解性の植生マット，シートの中に封入又は張り付けることによって，土壌粘土に張り付いている放射性セシウムをフルボ酸のキレート効果でイオン化させて，土壌の下層へと移行させることを可能としたものである。
【００１７】
本発明の第９は，第１の発明に係る腐植とフルボ酸を用いた緑化工法において，腐植とフルボ酸を用いた緑化工法において，腐植とフルボ酸を分解，非分解性の植生マット，シートの中に封入又は張り付ける量については，固体の腐植については封入又は張り付ける容量の５〜２０％とし，液体であるフルボ酸においては１００倍以上に希釈して用い，その他の植生基盤資材としては，バーク堆肥，爆砕したチップ，バーミキュライト，ココピート，パーライト，下水コンポスト，化成肥料，種子とする。
【００１８】
本発明の第１０は，第１の発明に係る腐植とフルボ酸を用いた緑化工法において，腐植とフルボ酸を封入する分解，非分解性の植生マット，シートは網の目で袋状の形態をとり，分解性の素材としては綿，麻，ヤシ，紙，藁，ポリ乳酸，非分解性の素材としては，ポリエチレン，ポリプロピレンを用いるものである。
【発明の効果】
【００１９】
本発明は上記の構成であるから，次の効果がある。木，又は草，又は野菜屑，又は落葉落枝の未分解の有機物を炭の製造過程で産出される極強酸性の有機酸である木酢液又は竹酢液に適量漬け込み，長期間養生することで製造される腐植とフルボ酸を分解，非分解性の植生マット，シートの中に封入又は張り付けることによって，導入した植物の発芽，光合成の活性化による植物の生育促進，植生マット，シートを張る前に存在していた植物の種子及び周辺から飛散してきた植物（在来種）の生育促進，シカ等の食害の回避及び植物の早期回復の効果がある。
【図面の簡単な説明】
【００２０】
【図１】本発明の実施工程を示す概略説明図である。
【図２】図１における分解性の綿，麻，ヤシ，紙，藁，ポリ乳酸，未分解のポリエチレン又はポリプロピレンのマット，シートの平面図である。
【発明を実施するための形態】
【００２１】
本発明に係る木，又は草，又は野菜屑，又は落葉落枝の未分解の有機物を炭の製造過程で産出される極強酸性の有機酸である木酢液又は竹酢液に適量漬け込み，長期間養生することで製造される腐植とフルボ酸を分解，非分解性の植生マット，シートの中に封入又は張り付ける量については，固体の腐植については封入容量の５〜２０％とし，液体であるフルボ酸においては１００倍以上に希釈して用い，その他の植生基盤資材としては，バーク堆肥，爆砕したチップ，バーミキュライト，ココピート，パーライト，下水コンポスト，化成肥料，種子とする。
【００２２】
木，又は草，又は野菜屑，又は落葉落枝の未分解の有機物を炭の製造過程で産出される極強酸性の有機酸である木酢液又は竹酢液に適量漬け込み，長期間養生することで製造される腐植とフルボ酸の製造では，酢液が有機物に染み込むのに５時間以上で腐植含有量が５％以上になるのに，最低で６００時間にわたって酢液に漬け込むものである。
【実施例１】
【００２３】
次に，本発明の実施例を説明する。
【００２４】
「具体的な植生マット，シートの製造手順」
次に，本発明の実施例を説明する。
図１において，１は地表面，２は斜面，３は腐植，フルボ酸，４は植生基盤材（バーク堆肥，爆砕したチップ，バーミキュライト，ココピート，パーライト，下水コンポスト），５は肥料，６は種子，７は上記の腐植，フルボ酸３，植生基盤材４，肥料５，種子６を混合した植生基盤材，８aは，植生基盤材を封入する分解性の綿，麻，ヤシ，紙，藁，ポリ乳酸，未分解のポリエチレン，又はポリプロピレンの袋，８bは，植生基盤材を張り付ける分解性の綿，麻，ヤシ，紙，藁，ポリ乳酸のシート，９は袋を維持する分解性の綿，麻，ヤシ，紙，藁，ポリ乳酸，又は非分解性のポリエチレンまたはポリプロピレンのマット，シートとする。
【００２５】
腐植，フルボ酸の製造においては，以下により行う。
（１）自然由来の木酢液又は竹酢液とは，木，竹，草，残滓等の未分解の有機物を炭の製造過程で産出されるものである。
（２）  有機物に対する酢液の割合を次のとおりである。容量比で，木，又は草，又は野菜屑，又は落葉落枝の未分解の有機物に対して木酢液又は竹酢液が０.５以上の割合である。
（３）  酢液が有機物に染み込むのに５時間以上で腐植含有量が５％以上になるのに，最低でも６００時間にわたって酢液に漬け込むものである。
【００２６】
[効果確認試験１]
本出願人の島根県松江試験場におけるハウス内で，１日１回の自動散水を行い，腐植を封入した植生マットと通常のマットで導入した植物の生育を確認した。導入した植物種は，トールフェスクである。
（１）  腐植を封入した植生マットでは，トールフェスクの発芽が４日であったのと比較すると通常マットでは７日後となった（発芽促進）。
（２）  ３ヶ月経過した時点で，腐植を封入した植生マットではトールフェスクの草丈が５０ｃｍとなったのと比較すると，通常マットでは３０ｃｍであった（生育促進）。
（３）  ３ヶ月経過した時点で，トールフェスクの光合成量を葉緑素計（ＳＰＡＤ−５０２Plus「コニカミノルタジャパン株式会社製」）により、ＳＰＡＤ値で測定した植生マットで生育した植物の葉では５０ＳＰＡＤ値となった（光合成量の改善）。
【００２７】
[効果確認試験２]
国土防災技術株式会社松江試験場のハウス内で，１日１回の自動散水を行い，外来性のセイタカアワダチソウに対してフルボ酸を散布した培地と無散布の培地で生育を比較した結果，フルボ酸を散布した培地では発芽，生育が抑制されることが確認できた。
【００２８】
[効果確認試験３]
静岡県駿東郡小山町須走の山地において，Ａ＝１,０００ｍ2の面積にフルボ酸を混合した種子吹付工を実施し，シカの活動期においても植物の被覆率が８０％以上を維持できた。
【００２９】
[効果確認試験４]
静岡県駿東郡小山町須走の山地において，シカの食害を受けて植物の被覆率が３０％まで低下した箇所に対してフルボ酸を散布した結果，植物の被覆率が７０％まで回復した。
【００３０】
[効果確認試験５]
層状ケイ酸塩鉱物を構成するカリウムを置換する形で構造中に取り込まれた形態であることから，強固にセシウムが結合して汚染された土壌サンプルを用いてフルボ酸によるセシウム抽出・分離できるかを放射能濃度測定システム（ＥＭＦ２１１[１００−２Ｌ−ＣＢ「ＥＭＦジャパン株式会社製」]）型ガンマ線スペクトロメーターによって確認した。
汚染土壌に蒸留水を浸潤して抽出した溶液の放射能濃度測定からは，セシウムが検出されなかった。一方で，２倍に希釈したフルボ酸を浸潤して抽出した溶液の放射能濃度測定からは，図１の赤の囲みのようにセシウム検出の顕著なピークが確認できている。フルボ酸からセシウムが検出されないことから，汚染土壌にフルボ酸を浸潤することで，セシウムを抽出・分離できたと考えることができる。
【産業上の利用可能性】
【００３１】
本発明は，木，又は草，又は野菜屑，又は落葉落枝の未分解の有機物を炭の製造過程で産出される極強酸性の有機酸である木酢液又は竹酢液に適量漬け込み，長期間養生することで製造される腐植とフルボ酸を分解，非分解性の植生マット，シートの中に封入又は張り付けることによって植物の光合成の活性を高めて生育を促進し，また植生基盤の長期的な団粒化を促すことによって長期的に植物へ肥料分を供給できることを可能としたものである。
【符号の説明】
【００３２】
１…  地表面
２…  斜面
３…  腐植とフルボ酸
４…  植生基盤材（バーク堆肥，爆砕したチップ，バーミキュライト，ココピート，パーライト，下水コンポスト）
５…  肥料
６…  種子
７…  腐植・フルボ酸３，植生基盤材４，肥料５，種子６を混合した植生基盤材
８a…  植生基盤材を封入する分解性の綿，麻，ヤシ，紙，藁，ポリ乳酸，未分解のポリエチレン，又はポリプロピレンの袋
８b…  植生基盤材を張り付ける分解性の綿，麻，ヤシ，紙，藁，ポリ乳酸のシート
９…  袋又はシートを維持する分解性の綿，麻，ヤシ，紙，藁，ポリ乳酸，又は非分解性のポリエチレンまたはポリプロピレンのマット，シート
【図１】
2018023347.tif 000003
【図２】
2018023347.tif 000004
【手続補正書】
【提出日】平成29年7月22日(2017.7.22)
【手続補正１】
【補正対象書類名】特許請求の範囲
【補正対象項目名】全文
【補正方法】変更
【補正の内容】
【特許請求の範囲】
【請求項１】
木，又は草，又は野菜屑，又は落葉落枝の未分解の有機物を炭の製造過程で産出される極強酸性の有機酸である木酢液又は竹酢液に適量漬け込み，長期間養生することで製造される固体の腐植と液体であるフルボ酸を，分解，非分解性の植生マット，シートの中に封入又は張り付けることによって，緑化する為に導入した植物の発芽，生育を促進することを可能とした腐植とフルボ酸を用いた緑化工法。
【請求項２】
腐植とフルボ酸を，分解，非分解性の植生マット，シートの中に封入又は張り付けることによって，導入した植物の光合成の活性化を行うことを可能とした請求項１記載の腐植とフルボ酸を用いた緑化工法。
【請求項３】
腐植とフルボ酸を，分解，非分解性の植生マット，シートの中に封入又は張り付けることによって，植生マット，シートを張る前に存在していた植物の種子及び周辺から飛散してきた地域に生育している植物が生育し易い植生基盤とすることを可能とした請求項１記載の腐植とフルボ酸を用いた緑化工法。
【請求項４】
腐植とフルボ酸を，分解，非分解性の植生マット，シートの中に封入又は張り付けることによって，セイタカアワダチソウ等の外来性の植物の生育を抑制することを可能とした請求項１記載の腐植とフルボ酸を用いた緑化工法。
【請求項５】
腐植とフルボ酸を，分解，非分解性の植生マット，シートの中に封入又は張り付けることによって，腐植とフルボ酸の燻製の臭いを嫌うシカ等の忌避効果を期待することを可能とした請求項１記載の腐植とフルボ酸を用いた緑化工法。
【請求項６】
腐植とフルボ酸を，分解，非分解性の植生マット，シートの中に封入又は張り付けることによって，シカ等の食害による被害後の植物の回復を早めることを可能とした請求項１記載の腐植とフルボ酸を用いた緑化工法。
【請求項７】
腐植とフルボ酸を，分解，非分解性の植生マット，シートの中に封入又は張り付けることによって，導入した植物へ肥料分を長期的に供給することを可能とした請求項１記載の腐植とフルボ酸を用いた緑化工法。
【請求項８】
腐植とフルボ酸を，分解，非分解性の植生マット，シートの中に封入又は張り付けることによって，土壌粘土に張り付いている放射性セシウムをフルボ酸のキレート効果でイオン化させて，土壌の下層へと移行させることを可能とした請求項１記載の腐植とフルボ酸を用いた緑化工法。
【請求項９】
腐植とフルボ酸を，分解，非分解性の植生マット，シートの中に封入又は張り付ける量については，固体の腐植については封入容量の５〜２０％とし，液体であるフルボ酸においては１００倍以上に希釈して用い，その他の植生基盤資材としては，バーク堆肥，爆砕したチップ，バーミキュライト，ココピート，パーライト，下水コンポスト，化成肥料，種子とする請求項１記載の腐植とフルボ酸を用いた緑化工法。
【請求項１０】
腐植とフルボ酸を，封入する分解，非分解性の植生マット，シートは網の目で袋状の形態をとり，分解性の素材としては綿，麻，ヤシ，紙，藁，ポリ乳酸，非分解性の素材としては，ポリエチレン，ポリプロピレンを用いる請求項１記載の腐植とフルボ酸を用いた緑化工法。